(57)【要約】【課題】「ＳＮＳ疲れ」を生じ難くした投稿制御装置を提供する。【解決手段】複数の利用者が自端末を使用する時間帯である使用時間帯を利用者毎に測定する時間帯測定部１０と、利用者が他の利用者に対して投稿したコメントの投稿時刻が、使用時間帯を分割した時間帯の何れの範囲に入るかを判定する第１時間帯判定部３０と、コメントを時間帯判定部が判定した時間帯に対応付けて保管する保管部４０と、他の利用者の自端末の使用開始を検出し、第１時間帯判定部３０の判定した結果を参照して使用開始の時刻が含まれる時間帯を判定する第２時間帯判定部５０と、第２時間帯判定部５０が判定した時間帯と同じ時間帯に含まれるコメントを、保管部４０から取得して他の利用者の自端末に送信する表示候補送信部６０とを具備する。【選択図】図３
2016157389.tif 000002
【特許請求の範囲】
【請求項１】
複数の利用者がそれぞれの自端末を使用する時間帯を複数に分割して記録する時間帯記録部と、
前記利用者が他の利用者に対して投稿したデータを受信して、当該データの投稿時刻が前記利用者の何れの時間帯に属するかを判定する第１時間帯判定部と、
前記データを、前記第１時間帯判定部が判定した前記時間帯に対応付けて保管する保管部と、
前記他の利用者の自端末の使用開始を検出し、前記時間帯記録部に記録された当該他の利用者の前記時間帯を参照して前記使用開始の時刻が属する前記時間帯を判定する第２時間帯判定部と、
前記第２時間帯判定部が判定した前記時間帯と同じ時間帯に属する前記他の利用者に対して投稿された前記データを、前記保管部から取得して前記他の利用者の前記自端末に送信する表示候補送信部と
を具備することを特徴とする投稿制御装置。  
【請求項２】
請求項１に記載した投稿制御装置において、
前記利用者の前記自端末の使用を検知する使用検知部と、
前記使用検知部が前記自端末の使用を検知すると、前記利用者の使用時間帯を測定する使用時間帯測定部と、
前記利用者の前記使用時間帯を記録する使用時間帯記録部と、
前記使用時間帯を複数の前記時間帯に分割して前記時間帯記録部に記録する時間帯分割部と
を具備することを特徴とする投稿制御装置。
【請求項３】
請求項１又は２に記載した投稿制御装置において、
前記表示候補送信部が取得した特定の前記利用者から投稿される所定の回数の前記データの中から、任意の少なくとも１つの前記データを選択して前記他の利用者の前記自端末に送信する投稿頻度制御部を具備することを特徴とする投稿制御装置。
【請求項４】
請求項１又は２に記載した投稿制御装置において、
前記表示候補送信部が取得した特定の前記利用者から所定時間内に複数回投稿された前記データの中から、任意の少なくとも１つの前記データを選択して前記他の利用者の前記自端末に送信する投稿頻度制御部を具備することを特徴とする投稿制御装置。
【請求項５】
投稿制御装置が行う投稿制御方法であって、
利用者が他の利用者に対して投稿したデータを受信して、当該データの投稿時刻が、投稿した前記利用者の自端末の使用時間帯を複数に分割した時間帯の何れに属するかを判定する第１時間帯判定ステップと、
前記他の利用者の自端末の使用開始を検出し、時間帯記録部に記録された当該他の利用者の前記時間帯を参照して前記使用開始の時刻が属する前記時間帯を判定する第２時間帯判定ステップと、
前記第２時間帯判定ステップで判定した前記時間帯と同じ時間帯に属する前記他の利用者に対して投稿された前記第１時間帯判定ステップで保管部に保管された前記データを、前記他の利用者の前記自端末に送信する表示候補送信ステップと
を行うことを特徴とする投稿制御方法。
【請求項６】
請求項１乃至４の何れかに記載した投稿制御装置としてコンピュータを機能させるための投稿制御装置プログラム。
【発明の詳細な説明】
【技術分野】
【０００１】
本発明は、「ツイート(Tweet)」と称される短文を投稿して閲覧できるコミュニケーション・サービスの投稿を制御する投稿制御装置、投稿制御方法、及び投稿制御プログラムに関する。
【背景技術】
【０００２】
個々の利用者が「ツイート」と称される短文を投稿し、閲覧できるコミュニケーション・サービスとして、公衆が利用可能なコミュニティサイトであるTwitter（ツイッター：登録商標）の利用者が増加している。また、実名と本人の顔写真、実社会でのプロフィールの登録が義務付けられたアカウントを有する個人が参加するソーシャル・ネットワーキング・サービス（以降、ＳＮＳと称する。）としてFacebook（フェイスブック：登録商標）の利用者が急速に増加している。
【０００３】
FacebookやTwitterは、それぞれのＳＮＳサーバに利用者が自身を特定するユーザ情報を登録することで利用することができる。利用者は、ＳＮＳサーバにアクセスして自身の近況や写真、他のサイトへアクセスするためのリンク等の情報（以降、コメントと称する。）を投稿することができる。更に、ＳＮＳサーバに登録している利用者には、他の利用者が投稿したコメントがプッシュ型で配信され、それを閲覧することができる。
【０００４】
また、FacebookやTwitterにおいては、投稿されたコメントを新しいものから順に表示画面の上から下へ時系列に表示するタイムラインが用意されている。例えばFacebookのタイムラインでは、ある利用者が「友達リクエスト」を送信し、これを承認した他の利用者からの投稿やコメントが表示され、利用者がコメントすることが可能である。また、Twitterのタイムラインでは、他の利用者のアカウントを登録することで、他の利用者のツイートを自身のタイムラインに表示することもできる。
【先行技術文献】
【特許文献】
【０００５】
【特許文献１】特開２００５−２１７５０８号公報
【特許文献２】特開２０１４−３５７１９号公報
【発明の概要】
【発明が解決しようとする課題】
【０００６】
しかしながら、ＳＮＳのリアルタイム性やコミュニケーション性の高さ、及び利用者の多さによってもたらせるメリットが多い反面、デメリットが国内外を問わず問題となっている。デメリットとしては、近年、ＳＮＳのコミュニケーションによって利用者が精神的・身体的に疲労する「ＳＮＳ疲れ」が問題になっている。
【０００７】
「ＳＮＳ疲れ」とは、利用者の生活時間帯に関わりなく友人の投稿に対してコメントすることに義務感を感じ、利用者自身の投稿への反応に対して過剰に気にしてしまい、精神的・身体的に疲労することである。この「ＳＮＳ疲れ」のため、ＳＮＳの利用頻度が下がることや利用を中止する可能性が生じる。「ＳＮＳ疲れ」は、実際に投稿やコメントを行わずに、閲覧のみでも生じることが明らかになっている（参考文献：「加藤千枝、「ＳＮＳ疲れ」につながるネガティブ経験の実態−高校生１５名への面接結果に基づいて」2013年、社会情報学2(1)））。
【０００８】
このＳＮＳ疲れは、生活時間帯の多様性からも生じる。働き方や生き方の多様化が進み、生活時間帯も人それぞれである。また、ＳＮＳは国籍や居住地域を問わずコミュニケーションすることが可能なため、時差の影響も受ける。そのため、例えば、ある時間で利用者Ｃは起床していても、利用者Ｄは就寝前の時間であるという状況が生じる。
【０００９】
利用者Ｃにとっては起床時であるため例えば「おはよう」や「今日の朝食」といった投稿を行うが、利用者Ｄにとっては就寝前であるため、煩わしく感じる場合がある。逆に利用者Ｄが行う例えば「今日は疲れた」といった様な投稿は、起床時の利用者Ｃにとって煩わしく感じる場合がある。
【００１０】
このような「ＳＮＳ疲れ」という課題があるにも関わらず、相手の活動状況をリアルタイムに知る方法（特許文献１）や、利用者に表示する情報に優先度を付けてリアルタイムに提示する方法（特許文献２）など、ＳＮＳのリアルタイム性のみに注目した方法が検討されているのが現状である。今まで、利用者自身の生活時間帯の都合について考慮したＳＮＳの方法は検討されていない。
【００１１】
この発明は、このような課題に鑑みてなされたものであり、利用者の生活時間帯を考慮して「ＳＮＳ疲れ」を生じ難くした投稿制御装置、投稿制御方法、及び投稿制御プログラムを提供することを目的とする。
【課題を解決するための手段】
【００１２】
本発明の投稿制御装置は、複数の利用者がそれぞれの自端末を使用する時間帯を複数に分割して記録する時間帯記録部と、前記利用者が他の利用者に対して投稿したデータを受信して、当該データの投稿時刻が前記利用者の何れの時間帯に属するかを判定する第１時間帯判定部と、前記データを、前記第１時間帯判定部が判定した前記時間帯に対応付けて保管する保管部と、前記他の利用者の自端末の使用開始を検出し、前記時間帯記録部に記録された当該他の利用者の前記時間帯を参照して前記使用開始の時刻が属する前記時間帯を判定する第２時間帯判定部と、前記第２時間帯判定部が判定した前記時間帯と同じ時間帯に属する前記他の利用者に対して投稿された前記データを、前記保管部から取得して前記他の利用者の前記自端末に送信する表示候補送信部とを具備することを要旨とする。
【００１３】
また、本発明の投稿制御方法は、投稿制御装置が行う投稿制御方法であって、利用者が他の利用者に対して投稿したデータを受信して、当該データの投稿時刻が、投稿した前記利用者の自端末の使用時間帯を複数に分割した時間帯の何れに属するかを判定する第１時間帯判定ステップと、前記他の利用者の自端末の使用開始を検出し、時間帯記録部に記録された当該他の利用者の前記時間帯を参照して前記使用開始の時刻が属する前記時間帯を判定する第２時間帯判定ステップと、前記第２時間帯判定ステップで判定した前記時間帯と同じ時間帯に属する前記他の利用者に対して投稿された前記第１時間帯判定ステップで保管部に保管された前記データを、前記他の利用者の前記自端末に送信する表示候補送信ステップとを行うことを要旨とする。
【００１４】
また、本発明の投稿制御プログラムは、上記の投稿制御装置としてコンピュータを機能させることができる。
【発明の効果】
【００１５】
この発明によれば、利用者は自らの生活時間帯に合わせた他の利用者の投稿を閲覧することが可能となり、「ＳＮＳ疲れ」を生じ難くすることができる。
【図面の簡単な説明】
【００１６】
【図１】第１実施形態の投稿制御装置１００を具備した投稿制御システム１０００のシステム構成例を示す図である。
【図２】投稿制御システム１０００の動作シーケンスを示す図である。
【図３】第１実施形態の投稿制御装置１００の機能構成例を示す図である。
【図４】利用者間で投稿したコメントが送信される様子を模式的に示す図である。
【図５】利用者端末を使用する時間帯の測定手順の例を示す図である。
【図６】時間帯測定部１０が行う処理を概念的に示す図である。
【図７】第１時間帯判定部３０の動作フローを示す図である。
【図８】第２時間帯判定部５０と表示候補送信部６０の動作フローを示す図である。
【図９】第２実施形態の投稿制御装置２００の機能構成例を示す図である。
【図１０】投稿頻度制御部２１０の動作フローを示す図である。
【図１１】第３実施形態の投稿制御装置３００の機能構成例を示す図である。
【図１２】投稿頻度制御部３１０の動作フローを示す図である。
【発明を実施するための形態】
【００１７】
以下、本発明の実施の形態について図面を用いて説明する。複数の図面中同一のものに
は同じ参照符号を付し、説明は繰り返さない。
【００１８】
〔第１実施形態〕
図１に、本発明の第１実施形態の投稿制御装置１００を具備した投稿制御システム１０００のシステム構成例を示す。投稿制御システム１０００は、ネットワーク１１０と、投稿制御装置１００と、複数の利用者端末１３０ａ〜１３０ｎとで構成される。投稿制御装置１００と複数の利用者端末１３０ａ〜１３０ｎとは、ネットワーク１１０を介して接続される。
【００１９】
なお、投稿制御装置１００は、背景技術で説明したＳＮＳサーバの機能を具備していてもよいし、図１に破線で示すようにＳＮＳサーバ１２０を別に設けてもよい。以降の説明では、ＳＮＳサーバ１２０の機能を、投稿制御装置１００が具備する例で説明する。
【００２０】
図２を参照して投稿制御システム１０００の動作を説明する。利用者Ａは、利用者端末１３０ａに投稿制御システム１０００を利用する権利であるアカウント（account）を入力することで、投稿制御システム１０００の利用を開始（ログイン）する（ステップＳ１）。利用者Ｂは、自身のアカウントを利用者端末ｂに入力する。利用者Ｃは、自身のアカウントを利用者端末ｃに入力する。アカウントを入力することで、利用者端末ａ〜ｃは、投稿制御装置１００と接続する（ステップＳ２、Ｓ３）。
【００２１】
投稿制御装置１００は、アカウントが入力されると、利用者がそれぞれの利用者端末を使用したことを検知して、それぞれの利用者端末の使用時間帯の測定を行う（ステップＳ４）。なお、投稿制御装置１００は、アカウントの入力以外に、利用者が自端末を使用した時に生じる信号を用いて使用時間帯の測定を開始してもよい。自端末の使用の検知は、端末に内蔵された加速度センサやジャイロセンサ、端末の把時を検出するタッチセンサや温度センサの出力信号の変化を検出することで行える。
【００２２】
使用時間帯とは、標準時刻（例えば日本標準時刻）とは必ずしも一致しない利用者ごとに異なる時間帯のことである。例えば、利用者Ａの使用時間帯は６時から２４時、利用者Ｂの使用時間帯は１８時から翌日の１２時といったように、利用者が活動している起床時刻から就寝時刻の範囲に近い時間帯のことである。
【００２３】
測定した使用時間帯は、利用者ごとに記録される（ステップＳ５）。利用者（利用者端末）の識別はアカウント、又は利用者端末の識別子で行う。使用時間帯は常に測定され、利用者の平均的な使用時間帯が記録（学習）される。
【００２４】
利用者の平均的な使用時間帯が学習された後に、例えば、利用者Ｎの投稿したデータ（コメント）に、コメントすることを許されたフォロワーである利用者Ａがデータ（以降、コメントと称する）を送信したと仮定する（ステップＳ６）。すると、投稿制御装置１００は、利用者Ａの既に記録した使用時間とコメントした投稿時刻とから、その投稿時刻が利用者のどの時間帯に行われたかを判定する（ステップＳ７）。時間帯とは、例えば利用者Ａにとって、例えば「朝」なのか「昼」なのか「夜」なのかである。
【００２５】
次に投稿制御装置１００は、投稿時刻が含まれる時間帯にその利用者投稿を分類して記録する（ステップＳ８）。例えば、ステップＳ６で投稿された投稿時刻が、利用者Ａの「朝」の時間帯に分類されたと仮定する。
【００２６】
その後、利用者Ａがコメントを見ているフォローである利用者Ｎが、投稿制御システム１０００にログインする（ステップＳ９）と、投稿制御装置１００は、利用者Ｎの時間帯を判定（ステップＳ１０）して、利用者Ｎの現在の時間帯に対応するコメントを取得する（ステップＳ１１）。投稿制御装置１００は、例えば利用者Ｎの現在の時間帯が「朝」であれば、ステップＳ８で「朝」に分類した利用者投稿を取得して、利用者端末ｎに送信する（ステップＳ１２）。
【００２７】
例えば、利用者Ａと利用者Ｎとの使用時間が１２時間ずれていて昼夜が逆転している関係にあったとしても、利用者Ａの「朝」の時間帯に分類されたコメントは利用者Ｎにとっての「朝」に、「昼」の時間帯に分類されたコメントは「昼」に、「夜」の時間帯に分類されたコメントは「夜」に、送信されることになる。したがって、利用者は、それぞれの生活リズムに合ったコメントを見ることになるので、「ＳＮＳ疲れ」を生じ難くすることができる。
【００２８】
図３を参照して投稿制御装置１００の動作を詳しく説明する。投稿制御装置１００は、時間帯測定部１０と、時間帯記録部２０と、第１時間帯判定部３０と、保管部４０と、第２時間帯判定部５０と、表示候補送信部６０とを具備する。なお、時間帯測定部１０を具備しなくても投稿制御装置を構成することが可能である。以降では、時間帯測定部１０を具備する構成で説明を行う。また、図３において、ネットワーク１１０に接続する装置として一般的に具備する機能構成部の表記は省略している。一般的な機能構成部としては、例えばネットワーク１１０と接続してコメントを送受信するインターフェース部等である。
【００２９】
投稿制御装置１００は、例えばＲＯＭ、ＲＡＭ、ＣＰＵ等で構成されるコンピュータに所定のプログラムが読み込まれて、ＣＰＵがそのプログラムを実行することで実現されるものとしてもよい。以降で説明する他の装置についても同じである。
【００３０】
時間帯測定部１０は、複数の利用者がそれぞれの自端末を使用する時間帯である使用時間帯を利用者ごとに測定し、その使用時間帯を複数の時間帯に分割する。使用時間帯とは、上記のように利用者が活動している起床時刻から就寝時刻の範囲に近い時間帯のことである。使用時間帯は生活時間帯と称してもよいものである。
【００３１】
使用時間帯は、利用者によって様々である。例えば、利用者Ａは、６時に起床して２４時に就寝する生活を送っていると仮定すると、その使用時間帯はその時刻範囲に近い時間帯となる。
【００３２】
時間帯測定部１０は、測定した使用時間帯を複数の時間帯に分割する。上記の利用者Ａの使用時間帯が１８時間であったと仮定すると、その使用時間帯を例えば３つに分割する。分割された時間帯は、６時〜１２時「朝」、１２時〜１８時「昼」、１８時〜２４時「夜」の３種類である。利用者の使用時間帯の分割は、より粒度が細かくても広くてもよい。また、必ずしも等分にする必要もない。使用時間帯の測定方法について、詳しくは後述する。
【００３３】
時間帯記録部２０は、時間帯測定部１０で測定された使用時間帯と当該使用時間帯を分割した時間帯とを記録する。使用時間帯と時間帯とは、利用者ごとに記録する。利用者の識別はアカウントで行う。
【００３４】
第１時間帯判定部３０は、例えば利用者Ａが他の利用者Ｎに対して投稿したコメントの投稿時刻が、時間帯記録部２０に記録されている時間帯の何れに属するかを判定する。例えば、投稿時刻が７時の場合は「朝」に分類される。
【００３５】
保管部４０は、投稿されたコメントを、第１時間帯判定部３０が判定した時間帯に対応付けて保管する。上記の例の利用者Ａが７時に投稿したコメントは、時間帯の「朝」に対応付けられて保管される。
【００３６】
第２時間帯判定部５０は、他の利用者の自端末の使用開始を検出し、時間帯記録部２０に記録された当該他の利用者の時間帯を参照して使用開始の時刻が属する時間帯を判定する。他の利用者の時間帯とは、他の利用者の使用時間帯を複数に分割したものである。
【００３７】
例えば、利用者Ｎの使用時間帯が夕方の６時（１８時）から翌日の１２時までと仮定すると、利用者Ｎの時間帯は、１８時〜２４時が「朝」、２４時〜６時が「昼」、６時〜１２時が「夜」である。そして、他の利用者Ｎが１９時に自端末の使用を開始したと仮定すると、第２時間帯判定部５０は利用者Ｎの使用開始の時刻を「朝」に分類する。
【００３８】
表示候補送信部６０は、第２時間帯判定部５０が判定した時間帯と同じ時間帯に属する他の利用者に対して投稿された保管部４０に保管されたコメントを、保管部４０から取得して他の利用者の自端末に送信する。上記の例では、利用者Ｎの自端末の使用開始時刻が「朝」に分類されたので、ステップＳ６で「朝」に分類された利用者Ａのコメントが利用者端末ｎに送信される。
【００３９】
図４に、利用者Ａが投稿したコメントが利用者Ｎの利用者端末ｎに送信される様子を模式的に示す。利用者Ａの「朝」の時間帯に投稿された吹き出しで示すコメントは、利用者Ｎの「朝」の時間帯に送信されている。図４に示す横軸は、時間経過を標準時刻で示す軸であり、上下の軸間で時刻は一致している。軸の左端は例えば６時、右端は例えば２４時を表している。
【００４０】
図４は、利用者Ａの使用時間帯が６時〜２４時、利用者Ｎの使用時間帯が１８時から翌日の１２時と使用時間帯が１２時間ずれている場合の例である。時間帯記録部２０は、利用者Ａの６時〜１２時を「朝」、利用者Ｎの１８時〜２４時を「朝」として記録している。
【００４１】
利用者Ｎが、例えば利用者Ｎの時間帯の「夜」に、利用者Ａに対してコメントを投稿したと仮定すると、そのコメントは、利用者Ａが利用者端末ａを１８時〜２４時の間に使用した際に、利用者Ｎから利用者Ａに対して送信される。このように、生活リズムで一致する時間の範囲でコメントが送信されるので、「ＳＮＳ疲れ」を生じ難くすることができる。
【００４２】
次に、時間帯測定部１０について詳しく説明する。
【００４３】
〔時間帯測定部〕
時間帯測定部１０は、使用検知部１１と、使用時間帯測定部１２と、使用時間帯記録部１３と、時間帯分割部１４とを具備する。使用検知部１１は、複数の利用者の自端末の使用を検知する。自端末の使用の検知は、端末に内蔵された加速度センサやジャイロセンサ、端末の把時を検出するタッチセンサや温度センサに出力信号の変化が生じた時に行う。又は、利用者が投稿制御システム１０００にログインしたことを検知してもよい。
【００４４】
使用時間帯測定部１２は、使用検知部１１が自端末の使用を検知すると、利用者の使用時間帯を測定する。図５を参照して使用時間帯の測定方法を説明する。
【００４５】
使用検知部１１が利用者端末の使用を検知すると、使用時間帯測定部１２が時間計測を開始する（ステップＳ２０）。使用時間帯測定部１２は所定の時間（例えば２時間）を計測する（ステップＳ２１）。その時間計測は、利用者端末の使用が検知されるとリセットされる（ステップＳ２３）。よって、所定時間（例えば２時間）以内に利用者端末が使用（操作）されれば計測がタイムアップすることがない。
【００４６】
使用時間帯記録部１３は、複数の利用者の使用時間帯を記録する。使用時間帯記録部１３は、時間計測部１２が所定の時間を計測し終わるとその時点の標準時刻を、就寝時刻として記録する（ステップＳ２４）。
【００４７】
就寝時刻を記録した後に、利用者端末の使用を検知する（ステップＳ２５のYES）とその時点の標準時刻を、起床時刻として記録する（ステップＳ２６）。この使用検知部１１と使用時間帯測定部１２と使用時間帯記録部１３の動作は、利用者のアカウントに対応させて複数の利用者の全員について行われる。
【００４８】
その結果、使用時間帯記録部１３には、全ての利用者が自端末を使用する使用時間帯が記録されることになる。時間帯分割部１４は、使用時間帯記録部１３に記録された使用時間帯を複数の時間帯に分割して時間帯記録部２０に記録する。複数とは、例えば「朝」、「昼」、「夜」の時間帯の３分割である。
【００４９】
図６に、ステップＳ２０〜Ｓ２６の処理を概念的に示す。利用者が覚醒している間は、比較的短い時間間隔で利用者端末を操作すると考えられるので、例えば２時間以上の時間、利用者端末が使用されないこと（所定時間のタイムアップ）を検出して利用者が就寝したと判定する。利用者が就寝したと判定した後に、利用者端末が使用された時点を起床と判定する。以上説明したように使用時間帯測定部が動作することで、利用者のおおよその使用時間帯（生活時間帯）を測定することができる。
【００５０】
次に、第１時間帯判定部３０について詳しく説明する。
【００５１】
〔第１時間帯判定部〕
第１時間帯判定部３０は、利用者が他の利用者に対して投稿したコメントを受信して、当該データの投稿時刻が利用者の何れの時間帯に属するかを判定する。図７を参照して第１時間帯判定部３０の動作を説明する。
【００５２】
利用者がコメントの投稿を行うと、投稿した利用者（以降、対象利用者と称する）にとっての「朝」かどうかを判定する（ステップＳ３０）。「朝」であった場合（ステップＳ３０のYES）、第１時間帯判定部３０は、そのコメントを朝用の投稿として保管部４０に保管する（ステップＳ３１）。
【００５３】
「朝」でない場合（ステップＳ３０のNO）、第１時間帯判定部３０はコメントを投稿した時刻が対象利用者にとっての「夜」かどうかを判定する（ステップＳ３２）。「夜」であった場合（ステップＳ３２のYES）、第１時間帯判定部３０は、そのコメントを夜用の投稿として保管部４０に保管する（ステップＳ３３）。
【００５４】
「夜」でなかった場合（ステップＳ３２のNO）、第１時間帯判定部３０は、そのコメントを昼用の投稿として保管部４０に保管する（ステップＳ３４）。このように分類されたコメントは、利用者の使用時間帯に合わせてそれぞれの自端末のタイムラインに表示される。タイムラインへの表示は、第２時間帯判定部５０と表示候補送信部６０とが行う。
【００５５】
〔第２時間帯判定部と表示候補送信部〕
第２時間帯判定部５０は、他の利用者の自端末の使用開始を検出し、時間帯記録部２０に記録された当該他の利用者の時間帯を参照して使用開始の時刻が属する時間帯を判定する。ここで他の利用者とは、コメントを投稿した利用者と異なる利用者のことである。この例では利用者Ｎのことである。
【００５６】
第２時間帯判定部５０は、利用者がログインすると、ログインした対象利用者の使用時間帯を参照して、ログインした時刻が属する時間帯を判定し、その判定した時間帯の情報を、表示候補送信部６０に出力する。表示候補送信部６０は、第２時間帯判定部５０が判定した時間帯と同じ時間帯に属する他の利用者に対して投稿された保管部４０に保管されたコメントを、保管部４０から取得して他の利用者の自端末に送信する。
【００５７】
図８を参照して第２時間帯判定部５０と表示候補送信部６０の動作を説明する。ログインした対象利用者の現在時刻（標準時刻）が、対象利用者にとって「朝」かどうかを判定する（ステップＳ４０）。「朝」であった場合（ステップＳ４０のYES）、表示候補送信部６０は、保管部４０に保管されている朝用の対象利用者に対するコメントを取得（ステップＳ４１）して対象利用者の利用者端末に送信する（ステップＳ４８）。この例では利用者Ｎの利用者端末ｎのタイムラインにコメントが表示される。
【００５８】
「朝」でなかった場合（ステップＳ４０のNO）、ログインした対象利用者の現在時刻（標準時刻）が、対象利用者にとって「夜」かどうかを判定する（ステップＳ４２）。「夜」であった場合（ステップＳ４２のYES）、表示候補送信部６０は、保管部４０に保管されている夜用の対象利用者に対するコメントを取得（ステップＳ４３）して対象利用者の利用者端末に送信する（ステップＳ４８）。
【００５９】
「夜」でなかった場合（ステップＳ４２のNO）、ログインした対象利用者の現在時刻（標準時刻）が、対象利用者にとって「昼」かどうかを判定する（ステップＳ４５）。「昼」であった場合（ステップＳ４５のYES）、表示候補送信部６０は、保管部４０に保管されている昼用の対象利用者に対するコメントを取得（ステップＳ４６）して対象利用者の利用者端末に送信する（ステップＳ４８）。
【００６０】
「昼」でなかった場合（ステップＳ４５のNO）、この例では「朝」でもなく「夜」でもなく「昼」でもない時間帯であれば就寝中のログインと判定する。第２時間帯判定部５０が就寝中のログインと判定した場合の表示候補送信部６０は、保管部４０に保管されている対象利用者に対する最新（使用時間帯とは無関係に）のコメントを取得して、対象利用者の利用者端末のタイムラインに表示する。この例では、利用者端末ｎのタイムラインに最新のコメントが表示される。
【００６１】
次に、特定の利用者の投稿を表示する頻度を操作できるようにした本発明の第２実施形態の投稿制御装置２００について説明する。
【００６２】
〔第２実施形態〕
図９に、第２実施形態の投稿制御装置２００の機能構成例を示す。本実施形態の投稿制御装置２００は、例えば投稿頻度の多い友人について例えば１０回に１回のみタイムラインに表示するように指定できるようにしたものである。
【００６３】
投稿制御装置２００は、投稿頻度制御部２１０を具備する点で第１実施形態の投稿制御装置１００（図３）と異なる。投稿頻度制御部２１０は、表示候補送信部６０が取得した特定の利用者から投稿されるコメントを、他の利用者の自端末に送信する頻度を操作する。
【００６４】
投稿頻度制御部２１０は、ＩＤ付与部２１０１と、ＩＤ判定部２１０２とを具備する。ＩＤ付与部２１０１は、表示候補送信部６０が取得したコメントに順番にＩＤを付与する。ＩＤ判定部２１０２は、特定のＩＤが付与されたコメントのみを対象利用者の利用者端末に送信する。
【００６５】
図１０を参照して投稿頻度制御部２１０の動作を説明する。図１０は、１０回の投稿に対して１回のコメントをタイムラインに表示する例である。投稿頻度制御部２１０は、表示候補送信部６０が取得したコメントを受信する（ステップＳ５０）。
【００６６】
ＩＤ付与部２１０１は、受信したコメントのＩＤをインクリメントする（ステップＳ５１）。この例では、最初に受信したコメントにＩＤ＝１が付与される。
【００６７】
ＩＤ判定部２１０２は、ＩＤ＝１０であるか否かを判定する（ステップＳ５２）。ＩＤ＝１０でない場合（ステップＳ５２のNO）、ＩＤ判定部２１０２はＩＤ＝０かを判定する（ステップＳ５４とＳ５５）。ここではＩＤ＝１なので、ＩＤ＝１０のコメントが生じるまでコメントの受信を繰り返す（ステップＳ５５のNOからＳ５０のループ）。
【００６８】
ＩＤ＝１０になると、つまり１０個目のコメントを受信すると、ＩＤ判定部２１０２はＩＤを０にリセットし、当該１０個目のコメントを対象利用者の利用者端末に送信する（ステップＳ５５のYESとステップＳ５６）。
【００６９】
以上説明したように投稿頻度制御部２１０が動作することで、特定の利用者が投稿する１０回に１回のコメントを、タイムラインに表示させることができる。このように投稿頻度制御部２１０は、投稿頻度の多い利用者のコメントを表示する頻度を操作することができる。なお、投稿頻度の少ない利用者に対しては、ステップＳ５２で判定するＩＤをＩＤ＝１に設定しておく。そのようにすることでコメントを見逃すことがない。
【００７０】
なお、利用者ごとにコメントを表示する頻度を操作することは、アカウント等を用いることで容易に行える。本実施形態の投稿制御装置２００によれば、各々の利用者の投稿頻度のバラつきを調整することが可能であり、「ＳＮＳ疲れ」を生じさせない。例えば、ある利用者Ａは１日に何度もコメントを投稿するが、利用者Ｂは数か月に１度の頻度であると仮定した場合に、利用者Ａのコメントばかりがタイムラインに表示されてしまい、利用者Ｂの投稿を見逃してしまうことをある程度防止することができる。
【００７１】
次に、特定の利用者が所定の時間内に複数回投稿したコメントの中から、任意のコメントを選択して他の利用者の自端末に送信する本発明の第３実施形態の投稿制御装置３００について説明する。
【００７２】
〔第３実施形態〕
図１１に、第３実施形態の投稿制御装置３００の機能構成例を示す。本実施形態の投稿制御装置３００は、特定の利用者が投稿するコメントをタイムラインに表示する間隔時間と回数を指定できるようにしたものである。
【００７３】
投稿制御装置３００は、投稿頻度制御部３１０を具備する点で第１実施形態の投稿制御装置１００（図３）と第２実施形態の投稿制御装置２００（図９）と異なる。投稿頻度制御部３１０は、表示候補送信部６０が取得した特定の利用者から所定時間内に複数回投稿されたコメントの中から、任意のコメントを選択して他の利用者の自端末に送信する。
【００７４】
投稿頻度制御部３１０は、時間測定部３１０１と投稿選択部３１０２とを具備し、例えば、１時間に行われた複数の投稿の内から１つの投稿のみをタイムラインに表示するように投稿頻度を制御する。所定時間と表示する投稿数は利用者が任意に設定することができる。
【００７５】
図１２を参照して投稿頻度制御部３１０の動作を説明する。投稿頻度制御部３１０は、表示候補送信部６０が取得したコメントを受信する。時間測定部３１０１は、表示候補送信部６０からコメントを受信すると時間測定を開始する（ステップＳ６０）
時間測定部３１０１は、例えば１時間に設定された所定時間を計時する（ステップＳ６１のNOからステップＳ６０のループ）。時間測定部３１０１が所定時間を計時する間に、表示候補送信部６０が選択したコメントは、全て投稿頻度制御部３１０が受信して保持している。
【００７６】
時間測定部３１０１が所定時間を計時し終わると、タイマーをリセットする（ステップＳ６２）。タイマーがリセットされると、投稿選択部３１０２は、所定時間の計時中に受信したコメントを取得（ステップＳ６３）してその中から、例えばランダムに１つのコメントを選択（ステップＳ６４）して対象利用者の利用者端末に送信する（ステップＳ６５）。
【００７７】
取得した複数のコメントの中から選択するコメントの数は１個に限られない。また、所定時間と選択するコメントの数は、利用者が自由に設定することが可能である。利用者ごとの所定時間と選択するコメントの数の識別は、投稿制御装置２００と同様にアカウント等で容易に行える。
【００７８】
投稿制御装置３００は、投稿制御装置２００と同様に各々の利用者の投稿頻度のバラつきを調整することが可能であり、投稿制御装置２００と同様の効果を奏することができる。
【００７９】
以上説明した本実施形態の投稿制御装置１００と２００と３００とによれば、利用者は自らの生活時間帯に合わせた他の利用者の投稿を閲覧することが可能となり、「ＳＮＳ疲れ」を生じ難くすることができる。
【００８０】
なお、上記のように時間帯測定部１０は具備しなくてもよい。時間帯測定部１０を具備しなくても、各々の利用者の使用時間帯を予め測定して時間帯記録部２０に記録しておけば本実施形態の投稿制御装置を実現することが可能である。また、図１にＳＮＳサーバ１２０を破線で示すように、ＳＮＳサーバを投稿制御装置１００とは別に設けるようにしてもよい。このように本発明は、上記した実施形態に限定されるものではなく、その要旨の範囲内で数々の変形が可能である。
【００８１】
また、上記装置をコンピュータによって実現する場合、各装置が有すべき機能の処理内容はプログラムによって記述される。そして、このプログラムをコンピュータで実行することにより、各装置における処理部がコンピュータ上で実現される。
【００８２】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記録装置に格納しておき、ネットワークを介して、サーバコンピュータから他のコンピュータにそのプログラムを転送することにより、このプログラムを流通させる構成としても良い。
【００８３】
また、各機能部は、コンピュータ上で所定のプログラムを実行させることにより構成することにしてもよいし、これらの処理内容の少なくとも一部をハードウェア的に実現することとしても良い。
【符号の説明】
【００８４】
１０：時間帯測定部
１１：使用検知部
１２：使用時間帯測定部
１３：使用時間帯記録部
１４：時間帯分割部
２０：時間帯記録部
３０：第１時間帯判定部
４０：保管部
５０：第２時間帯判定部
６０：表示候補送信部
１００：投稿制御装置
１１０：ネットワーク
１２０：ＳＮＳサーバ
１３０ａ〜１３０ｎ：利用者端末
【図１】
2016157389.tif 000003
【図２】
2016157389.tif 000004
【図３】
2016157389.tif 000005
【図４】
2016157389.tif 000006
【図５】
2016157389.tif 000007
【図６】
2016157389.tif 000008
【図７】
2016157389.tif 000009
【図８】
2016157389.tif 000010
【図９】
2016157389.tif 000011
【図１０】
2016157389.tif 000012
【図１１】
2016157389.tif 000013
【図１２】
2016157389.tif 000014